(57)【特許請求の範囲】
【請求項１】
少なくとも、母材と、母材の表面及び裏面に粘着材を介在させずに形成されたコーティング層とからなり、表面に設定した所定領域の境界に設定してなり表面側のコーティング層を貫通して裏面側のコーティング層と母材との境界又は境界付近に達する連続した切り込み溝を設け、前記切り込み溝に沿って折り曲げ切断することにより前記所定領域を切り離し可能にしているとともに、切り離された該所定領域が、前記裏面側のコーティング層を伴っていることを特徴とするシート。
【請求項２】
表面及び裏面のコーティング層の材質が同一であることを特徴とする請求項１記載のシート。
【請求項３】
少なくとも、母材と、母材の表面及び裏面に粘着材を介在させずに形成されたコーティング層とからなる印画紙を主体として形成されたシートにおいて、表面側のコーティング層を貫通して裏面側のコーティング層と母材との境界又は境界付近に達する連続した切り込み溝を設け、前記切り込み溝に沿って切断可能にしていることを特徴とするシート。
【請求項４】
表面に設定した所定領域を包囲するように前記切り込み溝を設けていることを特徴とする請求項１、２、又は３記載のシート。
【請求項５】
前記領域の形状が、名刺やはがき等、規格化されたサイズに合わせて設定されていることを特徴とする請求項１、２、３、又は４記載のシート。
【発明の詳細な説明】
【０００１】
【発明の属する技術分野】
本発明は、印刷等に好適に用いられる切断可能なシートに関する。
【０００２】
【従来の技術】
用紙等のシートを切り取って利用する必要がある場合、一例としてはパソコンに接続したプリンタ等の印刷機を用いて用紙の所定領域に名刺等を印刷し、印刷された部分を切り取って名刺等として使用するような場合に、従来はミシン目を入れ、この用紙から利用する部分をミシン目を用いて切り取るように構成して対応していた。
【０００３】
【発明が解決しようとする課題】
しかし、こうして利用する部分を切り取るようにすると、ミシン目の貫通孔が入っていなかった部分を順次破るので破った際に紙の繊維等が飛び出し、又ミシン目の貫通孔が入っていた部分とそうでない部分とで凸凹が形成される等、四辺にミシン目を用いて切り離した痕が残り、例えば名刺やデザインカードとして用いるには外観上好ましくないという問題が発生する。
【０００４】
そこで本発明は、以上に述べた問題を解決すべく構成されたものである。
【０００５】
【課題を解決するための手段】
すなわち本発明に係るシートは、少なくとも、母材と、母材の表面及び裏面に粘着材を介在させずに形成されたコーティング層とからなり、表面に設定した所定領域の境界に設定してなり表面側のコーティング層を貫通して裏面側のコーティング層と母材との境界又は境界付近に達する連続した切り込み溝を設け、前記切り込み溝に沿って折り曲げ切断することにより前記所定領域を切り離し可能にしているとともに、切り離された該所定領域が、前記裏面側のコーティング層を伴っていることを特徴とする。
【０００６】
このようなものであれば、前記切り込み溝が母材を略完全に切断していて、しかも切断領域の略全域に亘って連続しているので、前記シートを、前記切り込み溝に沿って折り曲げることにより略痕跡を残すことなく切断することができる。また、前記切り込み溝はシートを貫通していないので、シートは一体的に扱うことができる。なお、どちらの面を表面に設定してもよい。
【０００７】
特に、印刷等の際にシートが反り返るのを防ぐには、両側の表面を形成する表面層がいずれも同一の材質からなるようにすることが望ましい。
【０００８】
具体的には、前記シートを印画紙を主体として形成する形態が考えられる。
【０００９】
さらに、外周に全く痕跡を残すことなく表面に設定した所定領域を切断するには、前記領域を包囲するように前記切り込み溝を設けるようにすればよい。
【００１０】
そして、名刺やはがき等、規格化されたサイズの領域を切断するには、前記領域の形状を、前記規格化されたサイズに合わせて設定するようにすればよい。
【００１１】
【発明の実施の形態】
以下、本発明の一実施形態について図面を参照して説明する。
【００１２】
本実施形態に係るシートＳは、印画紙Ｉを主体として形成されたものである。
その概略断面図を図１に示す。
【００１３】
前記印画紙Ｉは、紙で構成される母材１とポリエチレンによるコーティングの層であるコーティング層２１、２２とからなる。
【００１４】
コーティング層２１、２２は、前記母材１の表面１ａ及び裏面１ｂに粘着材を用いずにポリエチレンを塗布して形成されているものである。なお、どちらの面を表面１ａまたは裏面１ｂに設定してもよい。また、コーティング層２１、２２の厚みは、シートＳ全体のコシが母材１の持つコシと略同等になるよう、すなわちコーティング層２１、２２によってシートＳ全体のコシが影響を受けない程度でよい。
【００１５】
次に、シートＳの平面形状について図２に示し、説明する。
【００１６】
シートＳは、矩形状をなすものであり、その長辺及び短辺にそれぞれ平行な連続した切り込み溝３が設けてある。切り込み溝３の形状は、長辺の長さｘ、短辺の長さｙの矩形の所定領域４を包囲し、さらに四隅をはみ出させたものにしてある。
【００１７】
また、前記所定領域４の長辺及び短辺をそれぞれ複数に等分（本実施形態では長辺を５等分、短辺を２等分）し、領域４を、その長辺に平行な辺の長さがｘ／５、その長辺に直交する辺の長さがｙ／２である矩形の領域４１に分割するようにさらに切り込み溝３が設けてある。前記切り込み溝３はその両端を所定領域４の外側にはみ出すようにしてある。本実施形態では、前記領域４が前記切り込み溝３によって分割されたそれぞれの領域４１の形状が、名刺サイズの矩形になるようにしてある。
【００１８】
このシートＳの表面５ａに、パソコンに接続したプリンタ（パソコン、プリンタとも図示略）を用いて印刷することができるようにしてある。より具体的には、前記プリンタの印刷可能領域６内に所定領域４を設定し、前記プリンタにより、前記所定領域４が前記切り込み溝３によって分割されたそれぞれの領域４１に、それぞれ所定の内容を印刷するようにしてある。
【００１９】
しかして、切り込み溝３は、表面側のコーティング層２１を貫通し、裏面側のコーティング層２２と母材１との境界である母材の裏面１ｂに達するものである。このような切り込み溝３は、プレスやその他の周知の技術によって形成することができる。
【００２０】
領域４１にそれぞれ所定の内容が印刷されたシートＳを、切り込み溝３に沿って折り曲げていくと、折り曲げた切り込み溝３に沿ってシートＳが順次切断され、最終的にはそれぞれの領域４１が切り離され、名刺等として使用することができるようにしてある。
【００２１】
以上、母材１と、母材１の表面１ａ及び裏面１ｂに粘着材を介在させずに接合したコーティング層２１、２２とからなる印画紙Ｉを主体として構成したシートＳにおいて、表面側のコーティング層２１を貫通して裏面側のコーティング層２２と母材１との境界１ｂ又は境界１ｂ付近に達する連続した切り込み溝３を設け、前記切り込み溝３に沿って切断可能にしたので、切り口に痕を残さず切断することができる。
【００２２】
また、両面のコーティング層２１、２２の材質を同一にしたので、印刷の際に、シートが反り返ることを防げる。また、表面と裏面との見た目を同一にすることができる。
【００２３】
さらに、表面に設定した所定領域４を包囲するように前記切り込み溝３を設けたので、所定領域４を痕を残さず切り離すことができる。
【００２４】
そして、所定領域４を分割した領域４１を名刺大の矩形に設定したので、シートＳから名刺大に規格化されたサイズのカードを切断することができる。
【００２５】
なお、本発明は、以上に説明した実施形態に限らない。例えば、コーティング層２１、２２の材質は、ポリエチレン以外のものでもよいし、同一である必要もない。また、塗布以外の方法、例えば吹き付け、押出し、ラミネート加工等の方法で形成してもよい。
【００２６】
また、母材１と、その表面１ａ及び裏面１ｂに粘着材を介在させずに接合したコーティング層２１、２２とからなるものであれば、印画紙Ｉ以外を主体として形成したものでもよい。加えて、母材１が複数の層で構成されるものであってもよい。
【００２７】
さらに、表面のコーティング層２１の上にさらにコーティングを施したものをシートＳとして用いてもよい。例えば、概略断面図が図３に示すようなものである、印画紙Ｉの表面のコーティング層２１の上からさらに光沢層２３をコーティングし、光沢層２３と表面のコーティング層２１とを貫通して裏面側のコーティング層２２と母材１との境界１ｂ又は境界１ｂ付近に達する切り込み溝３を設けたもの等が該当する。また、インクジェットプリンタやレーザープリンタによる印刷に適するように表面にインクやトナーなどの受理層を設けるなどの印刷性改善処理を施したものでもよい。
【００２８】
さらに、このシートＳは、名刺以外に使用してもよい。特に、見た目に対して名刺として使用できる程度までは要求しないなら、切り込み溝３は、所定領域４を包囲したりさらに四辺をはみ出させたりする必要はなく、例えば図４のように矩形の所定領域４の四隅に切り込み溝４を設けない部分を設定してもよいし、所定領域４の長辺及び短辺を切り込み溝３で複数に分割する際にも、図４のように切り込み溝３が所定領域４の外周に届いていないものであってもよい。
【００２９】
切り込み溝３は、裏面側のコーティング層２２と母材１との境界である母材の裏面１ｂにわずかに達しないものでもよい。
【００３０】
所定領域４ないし領域４１は、名刺大以外のサイズ、例えば官製はがきのサイズ等で規格化してもよいし、規格化したサイズに設定しなくてもよく、分割する必要もないし、矩形である必要もない。さらに、所定領域４をシートＳに複数設定してもよい。
【００３１】
例えば、図５に示すようにシートＳに矩形の一部が張り出したような形状の所定領域４を２つ設定し、所定領域４の内側には前記切り込み溝３を設けないような構成が考えられる。
【００３２】
また、シートＳへの印刷はプリンタ以外を用いて行ってもよく、印刷する代わりに手書きで所定の内容を記入してもよい。
【００３３】
その他、本発明は上記図示例に限られず、その趣旨を逸脱しない範囲で種々変更が可能である。
【００３４】
【発明の効果】
少なくとも、母材と、母材の表面及び裏面に粘着材を介在させずに接合されたコーティング層とからなり、表面側のコーティング層を貫通して裏面側のコーティング層と母材との境界又は境界付近に達する連続した切り込み溝を設け、前記切り込み溝に沿って切断可能にしたので、略痕跡を残すことなく切断することができる。
【図面の簡単な説明】
【図１】本発明の一実施形態に係るシートの概略断面図。
【図２】同実施形態に係るシートの全体平面図。
【図３】本発明の別実施形態に係るシートの概略断面図。
【図４】本発明の他の別実施形態に係るシートの全体平面図。
【図５】本発明のさらに他の別実施形態に係るシートの全体平面図。
【符号の説明】
Ｓ…シート
１…母材
１ａ…母材の表面
１ｂ…母材の裏面
２１…表面のコーティング層
２２…裏面のコーティング層
３…切り込み溝
４…所定領域
５ａ…シートの表面
【図１】
0004683777.tif 000002
【図２】
0004683777.tif 000003
【図３】
0004683777.tif 000004
【図４】
0004683777.tif 000005
【図５】
0004683777.tif 000006